(57)【要約】【課題】見栄えを損なわず、しかも安全や取付強度も十分に確保する。【解決手段】建物の下階１と上階２との間に、踊り場７を介して複数の踏板を取り付けた下側の階段フレーム３と上側の階段フレーム４とを連続させて設置するとともに、踊り場７の一側に延設された延長床１０を建物の内側の入隅部に配置し、入隅部を構成する第１の壁１１と第２の壁１２には、それぞれ受金具１３を水平方向に間隔をおいて配設し、延長床１０の延長床フレーム１５のフレーム材のうち第１の壁１１と第２の壁１２に面する中空フレーム材の上部には、受金具１３に対応する位置に切欠きを形成し、建物の躯体から室内側に突設された受金具１３を、切欠き部を通じてフレーム材の断面内に案内し、受金具１３とフレーム材とを連結材によって連結した。【選択図】図５
2008138414.tif 000002
【特許請求の範囲】
【請求項１】
建物の下階と上階との間に、踊り場を介して複数の踏板を取り付けた下側の階段フレームと上側の階段フレームとを連続させて設置するとともに、上記踊り場の一側に延長床を一体に延設し、該延長床を上記建物の内側の入隅部に配置固定した延長床付き階段であって、
入隅部を構成する第１の壁と第２の壁には、それぞれ受金具を水平方向に間隔をおいて配設し、
延長床を方形状の延長床フレームによって構成するとともに、該延長床フレームのフレーム材のうち上記第１の壁と第２の壁に面する中空フレーム材の上部には、上記受金具に対応する位置に切欠きを形成し、
上記建物の躯体から室内側に突設された受金具を、上記切欠き部を通じて上記フレーム材の断面内に案内し、上記受金具とフレーム材とを連結材によって連結した
ことを特徴とする延長床付き階段。
【請求項２】
上記延長床の一部を壁材で囲ったことを特徴とする、請求項１に記載の延長床付き階段。
【請求項３】
上記延長床上に配置された床パネルの一部を踊り場側に設けられた階段フレームの端部から延長されて踊り場を構成する水平フレームの上に重合して固定した
ことを特徴とする、請求項１に記載の延長床付き階段。
【発明の詳細な説明】
【技術分野】
【０００１】
本発明は、建物の下階と上階との間に設けられた階段の踊り場の一側に延長床を一体に延設した延長床付き折り返し階段に関する。
【背景技術】
【０００２】
一般に、建物内部の一階と二階との間に踊り場を有する階段を設置する場合、複数の踏板が取り付けられた上側と下側の階段フレームと、踊り場とはそれぞれ別体である（特許文献１参照）から、踊り場を固定し、さらに踊り場に下側階段の上端と上側階段の下端を固定し、踊り場を適宜手段によって固定することが行なわれている。
【０００３】
ところで、最近は、上記踊り場の一側に延長床を一体に延設し、該延長床を上記建物の内側の入隅部に配置するという新しい考え方が提案されている。これにより、階段が単に階を昇降する手段というだけでなく、また踊り場が単なる下の階段から上の階段に昇るための場で、階段の一部というだけの小スペースにとどまらず、部屋の中にさらに新たなスペースを作ることができるという新たな付加価値を備えた新規な折り返し階段を提供することができる。
【０００４】
しかし、その半面、上述の新しい構想を実現するためには、延長床をどのように支持するかという問題がある。
【０００５】
踊り場を固定する方式については、踊り場を下階に設けた支柱の上に支持させる方式と、踊り場を支柱ではなく、下階に固定した左右両側板の上に支持させる方式などが知られている。したがって、延長床も同様の方式で支持することが考えられる。
【特許文献１】実用新案登録第３１１５６０４号公報
【特許文献２】特開２００５−２４０３２１号公報
【発明の開示】
【発明が解決しようとする課題】
【０００６】
ところが、踊り場や延長床が普通の子供の背丈を越えるような高さになった場合、支柱は踊り場の下方空間を制限し、物を置くときの障害になったり、人の動線の邪魔になったりするという問題がある。また、延長床は部屋の内部に設けられるので、延長床の下に受金具やフレームの切欠き、ボルトなどの締結部分が露出したり突出したりすると、見栄えが悪いだけでなく危険でもある。
【０００７】
本発明は上記問題点を解消し、見栄えを損なわず、しかも安全や取付強度も十分に確保することができる延長床付き折り返し階段を提供することをその課題とする。
【課題を解決するための手段】
【０００８】
前記課題を解決するため、請求項１に係る発明は、建物の下階と上階との間に、踊り場を介して複数の踏板を取り付けた下側の階段フレームと上側の階段フレームとを連続させて設置するとともに、上記踊り場の一側に延長床を一体に延設し、該延長床を上記建物の内側の入隅部に配置固定した延長床付き階段であって、入隅部を構成する第１の壁と第２の壁には、それぞれ受金具を水平方向に間隔をおいて配設し、延長床を方形状の延長床フレームによって構成するとともに、該延長床フレームのフレーム材のうち上記第１の壁と第２の壁に面する中空フレーム材の上部には、上記受金具に対応する位置に切欠きを形成し、上記建物の躯体から室内側に突設された受金具を、上記切欠き部を通じて上記フレーム材の断面内に案内し、上記受金具とフレーム材とを連結材によって連結したことを特徴とする。
【０００９】
請求項２に係る発明は、請求項１において、上記延長床の一部を壁材で囲ったことを特徴とする。
【００１０】
請求項３に係る発明は、請求項１において、上記延長床上に配置された床パネルの一部を踊り場側に設けられた階段フレームの端部から延長されて踊り場を構成する水平フレームの上に重合して固定したことを特徴とする。
【発明の効果】
【００１１】
請求項１に係る発明によれば、延長床を構成する方形状の延長床フレームを構成するフレーム材のうち上記第１の壁と第２の壁に面する中空フレーム材の上部には、上記受金具に対応する位置に切欠きを形成し、上記建物の躯体から室内側に突設された受金具を、上記切欠き部を通じて上記フレーム材の断面内に案内し、上記受金具とフレーム材とを連結材によって連結した構成であるから、切欠き部はフレーム材の上部に設けられ、延長床フレームの上には延長床を構成するための床材等が配置されるから、外部から切欠き部を見ることはできないだけでなく、切欠き部を隠すための化粧材を設ける必要もない。また、連結材と壁躯体の受け金具とボルトは、いずれもフレーム材の内部に仕込まれているので、上記締結部分も踊り場の下から見ることはできない。したがって見栄えが損なわれることはなく、また安全である。また、中空フレーム材は連結材を介して受金具に固定するので、高強度の連結材を選択することにより十分な強度を確保することができる。
【００１２】
請求項２に係る発明によれば、延長床の一部を壁材で囲ったので、安全で、他の部分と画成されたスペースを作ることができる。
【００１３】
請求項３に係る発明によれば、階段の幅は一定であるから、踊り場の幅も一定となるが、延長床の大きさは施工現場によって異なる。このため、踊り場フレームの床パネルは踊り場のフレームにのみ対応すればよく、延長床のサイズが異なる場合にも共通に使用することができるので、効率がよい。また、隣接床パネルの一部は踊り場側に設けられた水平フレームの上に重合して支持されるので、延長床パネルの全体の強度を高めることができる。
【発明を実施するための最良の形態】
【００１４】
図１は本発明を建物の内部に設置された折り返し階段において実施した場合の形態を示す側面図であり、図２はその平面図である。この折り返し階段は、建物の下階１と上階２との間に金属製の下側の階段フレーム３と上側の階段フレーム４とを折り返しにして連続させて設置したもので、上下の階段フレーム４、３には間隔をおいて踏板受け５を介して踏板６が取り付けられている。
【００１５】
上記下側の階段フレーム３と上側の階段フレーム４とは踊り場７を介して連続されている。踊り場７は、図３に示されるように、下側の階段フレーム３の上端に延長形成された水平フレーム３ａと、上側の階段フレーム４の下部に延長形成された水平フレーム４ａの端部を建物の躯体に固定し、２つの水平フレーム３ａ、４ａ上に床パネルを張り、さらにフローリング施工してなり、また踊り場７の一部には階段フレームに続く手摺用支柱８ａが立設され、その上に手摺８が支持され、手摺８の下方には適宜パネル９が配設されている。
【００１６】
ところで、上記踊り場７の一側には延長床１０が一体に延設され、該延長床１０は上記建物の内側の入隅部に配置固定されている。そこで、次に上記延長床１０について説明する。
【００１７】
まず、図４に示されるように、入隅部を構成する第１の壁１１と第２の壁１２には、それぞれ受金具１３が水平方向に間隔をおいて配設されている。これらの受金具１３は壁躯体を構成する金属製構造材１４などに一体に固定され、下向きに開口したコの字型金具である。なお、これらの受金具１３は踊り場７の水平フレーム３ａ、４ａの先端を受けて固定するためにも用いられており、全て同じ水平レベルに設けられている。
【００１８】
次に、図２、図５（ａ）、図６および図７（ａ）（ｂ）に示されるように、延長床１０用の延長床フレーム１５はフレーム材を井桁状に形成したもので、上記第１の壁１１に対面する第１のフレーム材１６には第１の連結材１８がスライド可能に取り付けられ、また、第２の壁１２に対面する第２のフレーム材１７には第２の連結材１９が固定されている。第１及び第２のフレーム材１６、１７はそれぞれ中空に形成されている。また第１の連結材１８及び第２の連結材１９は高強度の板材をZ字形に折り曲げ形成してなるものである。そして、上記各フレーム材１６、１７の、第１の連結材１８の受金具１３と第２の連結材１９の受金具１３とに対応する位置には、それぞれ第１の切欠き２０と第２の切欠き２１が形成されている。第２の壁１２に対応する第２の切欠き２１はその受金具１３に対応する位置に形成されている。第１の壁１１と第２の壁１２に対応する第１の切欠き２０と第２の切欠き２１は、その受金具１３の間隔と同じ間隔に配置されている。また、第２の連結材１９は、ネジによって第２のフレーム材１７の中空部に保持され、第２のフレーム材１７に形成された長孔（図示せず）の範囲内で長手方向に沿ってスライド可能に設けられ、予め第２の切欠き２１から退避した位置に保持されている。さらに、第１及び第２の連結材１８、１９にはボルト固定用の挿通孔２２が形成されている。
【００１９】
上記延長床フレーム１５を第１の壁１１と第２の壁１２の受金具１３に固定するときは、まず図５（ａ）に示されるように、階段フレームをロープ２３で吊り、第１及び第２のフレーム材１７の側端部をそれぞれ第１の壁１１と第２の壁１２の受金具１３に接近させ、同図（ｂ）（ｃ）に示すように第２のフレーム材１７を受金具１３の下の方から上側にすくうように移動させ、図８（ａ）（ｂ）に示されるように、第２の切欠き部２１から第２のフレーム材１７の内側に案内する。そして、図９に示されるように、受金具１３の外側に第２の連結材１９を重合させ、ボルト２４を受金具１３と第２の連結材１９に形成されたボルト挿通孔２５、２２に挿通し、ナットで締結して固定すればよい。これにより、図１０に示されるように、第１の連結材１８を介して受金具１３と第２のフレーム材１７とが連結される。
【００２０】
次に、延長床フレーム１５を吊り上げたまま、図１１（ａ）（ｂ）及び図１２（ａ）（ｂ）に示されるように、第１の壁１１側の第１のフレーム材１６の第１の切欠き２０の下側に仕込まれた第１の連結材１８を第１の壁１１の受金具１３の上部までスライドさせて重合させ、重合部分を上述と同様にボルト２４、ナットで固定すればよい。また、延長床フレーム１５の壁から遠い部分は図１３に示すように別の壁３０又は支柱によって固定すればよい。
【００２１】
上記構成により、踊り場フレーム３ａ、４ａと延長床フレーム１５とを連続するように施工した後、各フレーム３ａ、４ａ、１５の上に床パネル２６を張る。この場合、図１４（ａ）に示されるように、踊り場フレームには１枚の床パネル２６、延長床フレーム１５には３枚の床パネル２７、２８、２９を張るが、上記延長床１０上に配置された床パネル２７、２８、２９のうち、踊り場７の床パネル２６に隣り合う隣接床パネル２７を踊り場７側に設けられた水平フレーム３ａの上に重合して固定する。
【００２２】
階段の幅は一定であるから、踊り場７の幅も一定となるが、延長床１０の大きさは同図（ｂ）に示されるように、施工現場によって異なる。このため、踊り場フレーム３ａ、４ａの床パネル２６は踊り場７のフレームにのみ対応すればよく、延長床１０のサイズが異なる場合にも共通に使用することができるので、効率がよい。また、隣接床パネル２７、２８、２９の一部２７は踊り場７側に設けられた水平フレーム３ａの上に重合して支持されるので、延長床１０パネルの全体の強度を高めることができる。
【００２３】
上述の延長床構成によれば、第１及び第２のフレーム材１６、１７の切欠き部は中空フレーム材の上部に設けられ、床フレームの上には延長床１０を構成するための床材等が配置されるから、外部から切欠き部を見ることはできない。また、連結材と壁躯体の受け金具とボルトは、いずれも中空のフレーム材の内部に仕込まれているので、上記締結部分も踊り場７の下から見ることはできない。したがって見栄えが損なわれることはなく、また安全である。また、中空フレーム材は連結材を介して受金具１３に固定するので、高強度の連結材を選択することにより十分な強度を確保することができる。
【００２４】
なお、延長床１０の開放した部分は壁材（手摺とパネル）で囲えばよい。これにより、延長床１０の一部を壁材で囲ったので、安全で、他の部分と画成されたスペースを作ることができる。
【図面の簡単な説明】
【００２５】
【図１】本発明に係る延長床付き階段の側面図
【図２】上記階段の平面図
【図３】階段フレームの斜視図
【図４】入隅部と受金具とともに示す斜視図
【図５】（ａ）（ｂ）（ｃ）は延長床フレームの取付態様説明図
【図６】フレーム材の断面図
【図７】（ａ）（ｂ）は連結材の斜視図
【図８】（ａ）（ｂ）は第２のフレーム材の取付態様を示す斜視図
【図９】第２のフレーム材の取付状態を示す正面図
【図１０】第１のフレーム材の取付状態を示す側面図
【図１１】（ａ）（ｂ）は第１のフレーム材の取付態様を示す斜視図
【図１２】（ａ）（ｂ）は第１のフレーム材の取付態様を示す正面図
【図１３】延長床フレームの取付状態を示す斜視図
【図１４】（ａ）（ｂ）は床パネルの配設態様説明図
【符号の説明】
【００２６】
１  下階
２  上階
３  下側の階段フレーム
４  上側の階段フレーム
７  踊り場
１０  延長床
１１  第１の壁
１２  第２の壁
１３  受金具
１５  延長床フレーム
【図１】
2008138414.tif 000003
【図２】
2008138414.tif 000004
【図３】
2008138414.tif 000005
【図４】
2008138414.tif 000006
【図５】
2008138414.tif 000007
【図６】
2008138414.tif 000008
【図７】
2008138414.tif 000009
【図８】
2008138414.tif 000010
【図９】
2008138414.tif 000011
【図１０】
2008138414.tif 000012
【図１１】
2008138414.tif 000013
【図１２】
2008138414.tif 000014
【図１３】
2008138414.tif 000015
【図１４】
2008138414.tif 000016